(57)【要約】  空間分割多重接続（ＳＤＭＡ）通信では、ほぼ同時に基地局へ送信するモバイル装置は、予め定める通信フェーズの間、予め定める通信フェーズの終了後まで待機し、その結果、比較的短い送信をするモバイル装置は肯定応答のタイムアウトに遭遇しない一方、別のモバイル装置は比較的長い送信を終えることができる。いくつかの実施例では、モバイル装置は、通信フェーズ中に、非即時ブロック肯定応答の要求を送信してもよい。
2007502079.tif 000002
【特許請求の範囲】
【請求項１】
第１電子装置を含む装置において、前記第１電子装置は、
第２電子装置からのポーリングに応答して、データ・バーストをデータ・フェーズ中に送信し、
前記データ・フェーズの終了後にタイムアウト期間を開始し、
前記第２電子装置からブロック肯定応答を前記タイムアウト期間中に受信する、
ことに適合していることを特徴とする装置。
【請求項２】
前記データ・バーストは、ブロック肯定応答の要求を含むことを特徴とする請求項１記載の装置。
【請求項３】
前記ブロック肯定応答の要求は、非即時ブロック肯定応答の要求を含むことを特徴とする請求項２記載の装置。
【請求項４】
前記第１電子装置は、前記ポーリングで示された時間長の後に前記タイムアウト期間を開始するためにさらに適合していることを特徴とする請求項１記載の装置。
【請求項５】
前記第１電子装置は、
複数のサブ・バーストを前記データ・バースト内に送信し、
前記ブロック肯定応答内の前記サブ・バーストの個々のサブ・バーストに対する個々の肯定応答を受信する、
ことに適合していることを特徴とする請求項１記載の装置。
【請求項６】
前記装置は、
コンピューティング・プラットフォームと、
前記コンピューティング・プラットフォームに結合された変復調装置と、
を含むことを特徴とする請求項１記載の装置。
【請求項７】
前記装置は、前記変復調装置に結合されたアンテナをさらに含むことを特徴とする請求項６記載の装置。
【請求項８】
前記第１電子装置は、モバイル装置を含むことを特徴とする請求項１記載の装置。
【請求項９】
前記第２電子装置は、基地局を含むことを特徴とする請求項１記載の装置。
【請求項１０】
第１電子装置を含む装置において、前記第１電子装置は、
空間分割多重接続技術を使用して、同じ周波数上でポーリングを複数の第２電子装置へ実質的に同時に送信し、
前記ポーリングの送信に続くデータ・フェーズ中に前記複数の第２電子装置の特定の装置からデータ・バーストを受信するとともに、前記複数の第２電子装置の他の装置から他のデータ・バーストを実質的に同時に受信し、
空間分割多重接続技術を使用して、前記データ・フェーズ後にブロック肯定応答を前記特定の第２電子装置へ送信する、
ことに適合していることを特徴とする装置。
【請求項１１】
前記第１電子装置は、ブロック肯定応答の要求を前記データ・バースト内で受信するためにさらに適合していることを特徴とする請求項１０記載の装置。
【請求項１２】
前記第１電子装置は、前記データ・フェーズの長さのインディケータを前記ポーリングの少なくとも１つの中で送信するためにさらに適合していることを特徴とする請求項１０記載の装置。
【請求項１３】
前記第１電子装置は、
前記データ・バースト内の前記複数のサブ・バーストを前記複数の第２電子装置の前記特定の装置から受信し、
前記ブロック肯定応答内の個々の肯定応答を前記サブ・バーストの個々のバーストのために送信する、
ためにさらに適合していることを特徴とする請求項１０記載の装置。
【請求項１４】
前記第１電子装置は、
コンピューティング・プラットフォームと、
前記コンピューティング・プラットフォームに結合された少なくとも４つの変復調装置と、
を含むことを特徴とする請求項１０記載の装置。
【請求項１５】
前記第１電子装置は、少なくとも４つのアンテナをさらに含み、各アンテは前記変復調装置の少なくとも１つに結合されることを特徴とする請求項１４記載の装置。
【請求項１６】
空間分割多重接続技術を使用して、同じ周波数上で、第１ポーリングを第１電子装置に、および、第２ポーリングを第２電子装置に実質的に同時に送信する段階と、
前記送信に続いて、前記同じ周波数上で、前記第１電子装置からの第１データ・バーストを、および、前記第２電子装置からの第２データ・バーストを実質的に同時に受信する段階と、
非即時ブロック肯定応答の要求を前記第１および第２データ・バーストの少なくとも１つのデータ・バースト中で検出する段階と、
空間分割多重接続技術を使用して、前記受信に続いて、前記同じ周波数上で、第１ブロック肯定応答を前記第１電子装置へ、および、第２ブロック肯定応答を前記第２電子装置へ実質的に同時に送信する段階と、
を含むことを特徴とする方法。
【請求項１７】
前記第１データ・バーストを受信する前記段階は、前記第１データ・バースト内の複数のサブ・バーストを受信する段階を含むことを特徴とする請求項１６記載の方法。
【請求項１８】
前記送信する段階は、前記複数のサブ・バーストの個々のサブ・バーストのために個々の肯定応答を送信する段階を含むことを特徴とする請求項１７記載の方法。
【請求項１９】
データ・バーストを基地局からのポーリングに応答して送信する段階であって、前記データ・バーストはブロック肯定応答の要求を含む、段階と、
データ・フェーズの後に続くブロック肯定応答を受信する段階と、
を含むことを特徴とする方法。
【請求項２０】
前記送信する段階は、前記データ・バースト内に複数のサブ・バーストを送信する段階を含み、
前記受信する段階は、前記複数のサブ・バーストの個々のサブ・バーストのために個々の肯定応答インディケータを受信する段階を含む、
ことを特徴とする請求項１９記載の方法。
【請求項２１】
命令を提供する機械読取り可能な媒体において、前記命令をコンピューティング・プラットフォームによって実行する場合、前記処理プラットフォームは、
ポーリングに対する応答を送信キューに置き、前記応答は複数のサブ・バーストを含むデータ・バーストからなり、
データ・フェーズの終了を検出し、
前記検出に続いて、前記送信に応答して、ブロック肯定応答を受信キューから読む、動作を実行する、
ことを特徴とする機械読取り可能な媒体。
【請求項２２】
前記置く動作は、前記送信キューに前記ブロック要求を含む媒体アクセス制御プロトコル・データ・ユニットを置く動作を含むことを特徴とする請求項２１記載の媒体。
【請求項２３】
前記置く動作は、
ブロック肯定応答の要求を前記複数のサブ・バーストの最終のサブ・バーストに置き、
非肯定応答の要求を前記複数のサブ・バーストの最終以外の他のサブ・バーストに置く、
動作を含むことを特徴とする請求項２１記載の媒体。
【請求項２４】
命令を提供する機械読取り可能な媒体において、前記命令をコンピューティング・プラットフォームによって実行する場合、前記処理プラットフォームは、
複数の電子装置に対するポーリングを少なくとも１つの送信キューに置き、
前記複数の電子装置からのデータを少なくとも１つの受信キューに受信し、
前記複数の電子装置の少なくとも１つから受信した前記データ中のブロック肯定応答の要求を検出し、
予め定める時間間隔が終了するまで待機し、
前記複数の電子装置の前記少なくとも１つへのブロック肯定応答を前記少なくとも１つの送信キューに置く、
ことを特徴とする機械読取り可能な媒体。
【請求項２５】
データを受信する前記動作は、データを複数の媒体アクセス制御プロトコル・データ・ユニットから受信する動作を含むことを特徴とする請求項２４記載の媒体。
【請求項２６】
前記ブロック肯定応答を行なう前記動作は、前記受信データの複数の正確に受信した部分を肯定応答するために、複数のインディケータを前記ブロック肯定応答に置く動作を含むことを特徴とする請求項２４記載の媒体。
【請求項２７】
前記動作は、前記ブロック肯定応答を送信するために空間分割多重接続技術を使用することをさらに含むことを特徴とする請求項２４記載の媒体。
【発明の詳細な説明】
【技術分野】
【０００１】
本発明は、非即時ブロック肯定応答を有するＳＤＭＡ通信に関する。
【背景技術】
【０００２】
ワイヤレス・データ通信システムは、帯域幅の増加を求める要求に常に置かれており、その問題に対処するために、複数の装置に単一チャンネルを共有させることにより単一基地局と通信できる様々な技術が開発されている。そのような技術の１つは、モバイル装置が基地局から十分に異なった方角に位置している場合、基地局は同じ周波数上で同時に複数のモバイル装置と個別の信号を送受信することができる。基地局からの送信については、異なる信号が空間分離アンテナ（separate spaced-apart antenna）の各々から同時に送信され、結合された送信が方向付けられる、つまり、各モバイル装置用に向けられた信号は、そのモバイル装置の方向に対しては比較的強く、他の方角には比較的弱い。同様の方法で、基地局は、各々の空間分離アンテナを通って複数の独立したモバイル装置からの結合した信号を同時に同じ周波数上で受信し、その受信に方向性があるので、適切な信号処理を施すことにより、複数のアンテナから受信した結合信号を各モバイル装置からの個別信号に分離することができる。
【０００３】
ＩＥＥＥ  ８０２．１１（ＩＥＥＥは電気電子学会の頭文字であり、ニューヨーク州ニューヨーク市パーク・アベニュー３  １７階に所在）のような現在作成途にある仕様書において、各モバイル装置は、可変長のデータ・ブロックを送信し、次に、基地局がデータ・ブロックを受信したことを示すために基地局からの肯定応答（Acknowledgement）用データ・ブロックの後の予め定めるタイムアウト期間の間待機する。基地局が同じ周波数上で送信しかつ受信する場合、その事実は基地局が同時に送信し受信することを排除してもよく、その結果、肯定応答を発送する前に、すべての着信データ・ブロックが完了するまで基地局は待機する。しかしながら、データ・ブロックが可変長であるので、基地局が別のモバイル装置から長いデータ・ブロックを依然として受信している間、短いデータ・ブロックを送るモバイル装置は肯定応答のタイムアウト（時間切れ）を経験することになる。短いデータ・ブロックに生じる不必要な再送信は、データ通信全体を非効率にさせ、ある状況下ではサービスの中断を引き起こすことになる。
【０００４】
本発明は、下記記述および本発明の実施例を図示するために使用される添付図面を参照することにより理解されるであろう。
【発明の開示】
【０００５】
下記記述では、多くの特定の詳細事項が述べられる。しかしながら、本発明の実施例は、これらの特定の詳細事項がなくても実施できることを理解すべきである。他の実施例では、周知の方法、構造および技術は、この記述の理解を不明瞭にしないために詳細には示されていない。
【０００６】
「一実施例」、「実施例」、「実施の例」、「様々な実施例」などの表示は、本発明の実施例が特定の機能、構造または特性を含むが、あらゆる実施例がその特定の機能、構造または特性を必ず含んでいるとは限らないことを示す。さらに、「ある実施例において」なる句の繰り返しの使用は必ずしも同じ実施例を参照するものではない。
【０００７】
次の説明および請求項において、「結合された」、「接続された」なる用語がそれらの派生語と共に使用される。これらの用語は、互いに同義語として意図されていないことに理解しなければならない。むしろ、特定の実施例では、「接続された」は、２またはそれ以上の要素が互いに物理的または電気的な直接の接触にあることを示すために使用されることがある。「結合された」は、２またはそれ以上の要素が物理的または電気的な直接の接触にあるか、または２またはそれ以上の要素が互いに直接の接触にはないが互いに協動して相互作用を及ぼしている状態のいずれかを意味することがある。
【０００８】
ここに使用されるように、別段の定めがない限り、共通の対象を表わす「第１」、「第２」、「第３」などの順序を示す形容詞の使用は、類似の対象の異なる例が引用されていることを単に示すに過ぎず、その対象が一時的にも、空間的に、格付的にも、あるいは他の方法においても、与えられた順序でなければならないことを意図するものではない。
【０００９】
他に特に述べられない限り、次の議論から明らかなように、「処理する」、「演算する」、「計算する」などのような用語を利用する議論は、明細書全体にわたって、コンピュータ、コンピュータ・システムまたは類似の電子計算機装置の動作または処理に関連するものであり、それは電子、量子などの物理量として表わされるデータを物理量として同じように表わされる他のデータへ操作または変換することとして理解される。
【００１０】
同様に、「プロセッサ」なる用語は、任意の装置またはレジスタおよび／またはメモリからの電子データを処理し、その電子データをレジスタおよび／またはメモリに格納できる他の電子データに変形するあらゆる装置または装置の一部に関するものである。「コンピューティング・プラットフォーム」は、１またはそれ以上のプロセッサを含んでいてもよい。
【００１１】
この文書の内容において、用語「ワイヤレス」およびその派生語は、回路、装置、システム、方法、技術、通信チャンネルなどを表し、それは非固体の媒体を経由し変調された電磁放射の使用を通じてデータを通信する。その用語は、関連する装置がいかなる有線をも含まないことを暗示するものではなく、いくつかの実施例において含まれていないだけである。
【００１２】
共通の産業用語に準拠して、「基地局」、「アクセス・ポイント」、および「ＡＰ」なる用語は、複数の他の電子装置とワイヤレスにかつ同時に通信することができる電子装置を記述するために互換的に使用されるものであり、「モバイル装置」および「ＳＴＡ」なる用語は、移動が要件ではないが、移動しても依然として通信する能力を有するこれら複数の他のあらゆる電子装置を表わすために互換的に用いられる。しかしながら、本発明の範囲は、これらの用語が付された装置に制限されるものではない。同様に、「空間分割多重接続」なる用語およびＳＤＭＡは互換的に使用される。ここに使用されるように、これらの用語は、異なる信号がアンテナの組合せによって同じ装置から実質的に同時に送信され、その結果その結合した送信信号は同じ周波数上で実質的に異なる方向へ異なる装置に向けて送信される異なる信号となるあらゆる通信技術を、および／または、異なる信号が同じ周波数で複数のアンテナを通して異なる方向の異なる装置から実質的に同時に受信され、かつその異なる信号が適切な処理を通して互いに分離される技術を包含するように意図さる。「同じ周波数」なる用語は、ここに使用される場合、帯域幅許容差、ドップラーシフト順応、パラメータ・ドリフトなどによる正確な周波数からの僅かの変分を含んでいてもよい。異なる装置への各送信の少なくとも一部が同時に生じる場合、異なる装置への２またはそれ以上の送信は実質的に同時であると考えられるが、異なる送信が同時に開始しおよび／または終了しなければならないことを暗示するものではない。同様に、異なる装置からの各受信の少なくとも一部が同時に生じる場合、異なる装置からの２またはそれ以上の受信は実質的に同時であると考えられるが、異なる送信が同時に開始しおよび／または終了しなければならないことを暗示するものではない。ＳＤＭＡなる用語に使用される単語における相違は、他の単語によってしばしば使用されることがあり、例えば、「空間の」の代わりに「空間」を、あるいは「分割」の代わりに「ダイバーシティ」を用いることに制限されることはない。本発明の様々な実施例の範囲は、用語のそのような差を包含するものと意図される。
【００１３】
本発明のいくつかの実施例では、モバイル装置から基地局へのデータ・バーストの送信を含む、そのデータ・バーストは基地局からの非即時のブロック肯定応答のための要求を含む。データ・バーストは、１ブロックのデータ、または複数の連続したブロック（サブ・バースト）のデータを含む。非即時肯定応答は、肯定応答されているデータの終了後所定時間内に送られるのはなく後の時間まで遅延できる肯定応答である。ブロック肯定応答は、複数のサブ・バーストの各々に対して個別の肯定応答を要求するのではなく複数のサブ・バーストを認識する単一の肯定応答である。いくつかの実施例では、ブロック肯定応答は、認識されているサブ・バーストの各々を識別することができ、その結果、単一のブロック肯定応答が使用されていると考えられても、他のサブ・バーストが肯定応答されていない間、いくつかのサブ・バーストが肯定応答されてもよい。したがって、非即時ブロック肯定応答は、サブ・バーストのグループすべてまたは個々のサブ・バーストを肯定応答することができ、個々のサブ・バーストに対する肯定応答のタイムアウトを引き起こさずに、適切な肯定応答の時間まで遅延させることができる。
【００１４】
図１は、本発明の実施例に従って、ＳＤＭＡ動作中の非即時ブロック肯定応答を使用することができるＳＤＭＡ通信網のダイヤグラムを示す。図示された通信網の実施例は、ＡＰからの異なる方角に配置された複数のＳＴＡ１３１−１３４と通信することができるＡＰ１１０を示す。ＡＰ１１０は、ＳＤＭＡ技術を使用して、ＳＴＡ１３１−１３４の各々へ異なる信号を実質的に同時に送信する。同様に、各ＳＴＡ１３１−１３４は、ＡＰ１１０へ異なる信号を実質的に同時に送信し、また、ＡＰ１１０は、ＳＤＭＡ技術を使用して、その結合された受信信号を各ＳＴＡからの個々の信号へ分離する。非即時ブロック肯定応答は、各ＳＴＡがその送信の終了直後から開始する予め定めるタイムアウト期間内にその送信に対する肯定応答を受信することを想定していたが受信しなかった場合に生じる潜在的なタイムアウトを回避するために使用される。
【００１５】
ＡＰ１１０は４つのアンテナ１２０を有し、ＳＤＭＡ技術を使用して、一度に４台までのＳＴＡをワイヤレスに通信できることを示すが、他の実施例では他の配列（例えば、ＡＰ１１０は２、３または４を超えるアンテナを装備してもよい）を有していてもよい。各ＳＴＡは、ＡＰ１１０とワイヤレスに通信する少なくとも１つのアンテナを有する。いくつかの実施例では、ＳＴＡアンテナは全方向性をもって動作するように適合しているが、他の実施例では、ＳＴＡアンテナは指向性をもって動作するように適合していてもよい。いくつかの実施例では、ＳＴＡは固定位置にあるが、他の実施例では、少なくともいくつかのＳＴＡは通信シーケンス期間中および／または間に移動してもよい。いくつかの実施例では、ＡＰは固定位置にあるが、他の実施例では、ＡＰは通信シーケンス期間中および／または間に移動してもよい。
【００１６】
図２は、本発明の実施例に従って、非即時ブロック肯定応答を使用する通信シーケンスのタイミング・ダイヤグラムを示す。図２では、基地局からの送信はＡＰとして示されたライン上にあり、他方、２台のモバイル装置からの送信はそれぞれＳＴＡ１およびＳＴＡ２として示されたライン上にある。ＡＰラインは、さらにＳＴＡ１（基地局からモバイル装置ＳＴＡ１へ向けられた送信）と、ＳＴＡ２（基地局からモバイル装置ＳＴＡ２へ向けられた送信）として標記された空間チャンネルにサブ分割される。図２では２台のＳＴＡだけを示すが、他の実施例では、同時に動作する任意の実現可能な数のＳＴＡも含み、図示のシーケンスに続いて示される。図２は、ＳＤＭＡ技術を使用して、ＡＰは既に複数のＳＴＡと同時に通信することができると仮定し、また、そのような可能にするために用いられるプロセスはいずれも示されてない。図２は、肯定応答フェーズが後続するデータ・フェーズを示す。データ・フェーズ中、ＡＰはポーリング期間にデータのためにＳＴＡをポーリングし、ポーリングされたＳＴＡはレスポンス期間中に連続して送信される１またはそれ以上のデータ・ブロックを含むデータ・バーストでＡＰへ応答する。肯定応答フェーズでは、ＡＰは、データが正確に受け取られたＳＴＡごとに個別の肯定応答を送る。ＡＰは、データが正確に受け取られなかったすべてのＳＴＡへの肯定応答を保留する。１またはそれ以上の任意のデータ・フェーズ、肯定応答フェーズ、ポーリング・フェーズ、および、レスポンス期間は、ＡＰおよび／またはＳＴＡによって既知の期間を有する。いくつかの実施例では、データ・フェーズおよび／またはレスポンス期間の長さは、ポーリングで指定されてもよい。
【００１７】
図２で示されるように、適切なＳＴＡ（同じポーリング・グループ中のもの）は各々、定義されたポーリング・フォーマットを使用して、ポーリング期間に同時にポーリングされる。いくつかの実施例では、ＳＴＡへのポーリングは、ＳＤＭＡ送信の指向性能力を用いて実質的に同時に送信するが、他の実施例では他の技術を使用してもよい。
【００１８】
レスポンス期間に、ポーリングを受け取った各ＳＴＡは、ＡＰにデータ・バーストを送ることにより応答する。いくつかの実施例では、各データ・バーストは複数のサブ・バーストから成り、各サブ・バーストは媒体アクセス制御プロトコル・データ・ユニット（ＭＰＤＵ）のフォーマットに準拠するが、本発明の範囲はこの点に制限されることはない。ＳＤＭＡフォーマットはＡＰが同時に送信し受信することを許容していないので、ＡＰが受信しているとき、ＡＰは、データ・バーストまたはサブ・バーストのいずれかに対してもレスポンス期間に肯定応答を送信しない。したがって、与えられたＳＴＡへの単一の肯定応答がそのＳＴＡからのデータ・バーストに肯定応答するために使用される場合、データ・バーストまたはサブ・バーストのいずれの肯定応答も肯定応答フェーズまで待機する。サブ・バーストの１つ（例えば、本発明の範囲はこのように制限されていないが、最終ＭＰＤＵ）は、いずれの肯定応答が要求されるかどうか明示することができ、もしそうならば、どんなタイプの肯定応答かも明示できる。
【００１９】
いくつかの実施例では、非即時ブロック肯定応答が、要求されてもよい。ブロック肯定応答は、複数のサブ・バーストを単一の肯定応答で肯定応答することである。非即時肯定応答は、ＳＴＡがデータ・フェーズの終了前にその送信を首尾よく終了したとしても、ＡＰはデータ・フェーズ後まで待機しその後その肯定応答を送ることを示す。したがって、非即時ブロック肯定応答の要求は、データ・フェーズ終了後のある時点で受け取ることが期待される肯定応答である共に、データ・バースト全体に対する単一の肯定応答を求めるリクエストであるといえる。いくつかの実施例では、「非即時」の要素は、肯定応答の要求で指定されるが、他の実施例では、肯定応答の要求中で指定される要求要素であってもよい。いくつかの実施例では、各ＳＴＡは、データ・フェーズ終了後にタイムアウト期間を開始する。予期された肯定応答がそのタイムアウト終了前に受け取られる場合、ＳＴＡはデータ・バーストがＡＰによって正確に受け取られたと仮定する。予期された肯定応答がそのタイムアウト終了前に受け取られない場合、ＳＴＡはデータ・バーストがＡＰによって正確に受け取られず、適切な修正処置をとってもよいと仮定する。いくつかの実施例では、修正処置は、続くポーリングに応答してＡＰへデータ・バーストを再送達することを含む。
【００２０】
図３は、本発明の実施例に従って、基地局の動作方法のフローチャートを示す。基地局は、ＳＤＭＡ技術を用いて、実質的に同時に、複数のＳＴＡへ送信し、および／または、複数のＳＴＡから受信するが、議論を簡単にするために、１つのＳＴＡと基地局との間の通信のみがフローチャートに記述される。フローチャート３００において、基地局は３１０でポーリングをＳＴＡに送信し、データ・バーストを送ることによりＳＴＡが応答することを求める。そのポーリングに応答してＳＴＡによって送信されたデータ・バーストは、３２０で受け取られる。３３０で、データ・バーストは、非即時ブロック肯定応答（指定されたか実質的に要求された）の要求が存在するかどうかが検査される。そのような要求が発見されない場合、あるいは異なるタイプの肯定応答が要求される場合、３４０でその制御は図示されていない他の処理へ移ってもよい。非即時ブロック肯定応答が検出される場合、データ・フェーズが終了し、肯定応答フェーズが開始するまで、３５０で遅延する。データ・フェーズの終了、および／または、肯定応答フェーズの開始は、ハードウェア・タイマのような多様な方法で決定される。
【００２１】
いくつかの実施例では、使用されるプロトコルは、データ・バースト中の肯定応答の要求を使用しない場合、非即時ブロック肯定応答のフォーマットに初期設定されており、その結果、判断ブロック３３０は自動的に「ｙｅｓ」となる。肯定応答期間の間、ブロック肯定応答が、３６０で適切なＳＴＡに送信される。
【００２２】
図４は、本発明の実施例に従って、モバイル装置の動作方法のフローチャートを示す。フローチャート４００では、４１０で、モバイル装置は基地局からポーリングを受信し、４２０でデータ・バーストを送信することによりモバイル装置に応答するトリガを与える。いくつかの実施例では、データ・バーストは、非即時ブロック肯定応答の要求を含んでおり、その一方で他の実施例では、使用されているプロトコルは、データ・バースト中にそのような要求を使用しない場合、非即時ブロック肯定応答のフォーマットに初期設定されている。データ・バーストの完了後に、ＳＴＡはデータ期間の終了まで４３０で待機する。
【００２３】
データ期間の終了後、ＳＴＡは４４０で肯定応答のタイムアウト期間を開始する。いくつかの実施例では、タイムアウト期間はハードウェア・タイマによって測定されるが、他の実施例では他の技術を使用してもよい。ブロック肯定応答が、４５０と４７０とによるループによって決定されるようなタイムアウト期間の終了前に基地局から受け取られる場合、タイムアウト期間は取り消され、この処理は４６０で終了する。しかしながら、４５０と４７０とによるループによって決定されるタイムアウト期間の終了までに、ブロック肯定応答が受け取られていない場合、制御は４８０のエラー処理のある形式に移ることになる。そのようなエラー処理は、基地局からの後続のポーリングを受け取った後にデータ・バーストを再送達することを含む。いくつかの実施例では、ブロック４４０−４８０は、全体としてデータ・バーストに対してではなく個々のサブ・バーストに適用される。
【００２４】
上述の動作は、コンピュータ・プラットフォームがその動作を実行するために必要とされるプロセスを含むが、データを少なくとも１つの送信キューに入れること、および／または、データを少なくとも１つの受信キューから読むことに制限されない。
【００２５】
本発明の実施例は、ハードウェア、ファームウェアおよびソフトウェアのいずれかまたはそれらの組合せで実行することができる。本発明の実施例も、機械読取り可能な媒体上に格納された命令で実行され、それはここに記述された動作を行なうためにコンピューティング・プラットフォームによって読み込まれ実行される。機械読取り可能な媒体は、マシン（例えばコンピュータ）によって読取り可能な形式で情報を格納するか送信するためのあらゆるメカニズムを含む。例えば、機械読取り可能な媒体は、リード・オンリ・メモリ（ＲＯＭ）、ランダム・アクセス・メモリ（ＲＡＭ）、磁気ディスク格納媒体、光格納媒体、フラッシュ・メモリ装置、電気的、光学的、音響的、または他の形式の伝播信号（例えば搬送波、赤外線信号、デジタル信号など）および他の形式を含む。
【００２６】
図５は、本発明の実施例に従って、基地局のブロック図を示す。プラットフォーム５５０は、基地局に適した処理を行なうが、１またはそれ以上のプロセッサを含み、いくつかの実施例では、１またはそれ以上のプロセッサの少なくとも１つはデジタル信号プロセサ（ＤＳＰ）である。図示された実施例では、ＡＰ１１０は、４つのアンテナ１２０を装備するが、他の実施例では２、３または４を超えるアンテナを具備していてもよい。各アンテナに対して、基地局１１０は、変復調器５２０、アナログ・デジタル変換器（ＡＤＣ）５３０、および、デジタル・アナロク変換器（ＤＡＣ）５４０を有する。復調器−ＡＤＣの組合せは、アンテナからの受信無線周波数信号をコンピューティング・プラットフォーム５５０によって処理するのに適しているデジタル信号に変換する。同様に、ＤＡＣ−変調器の組合せは、コンピューティング・プラットフォーム５５０からのデジタル信号をアンテナによる送信に適した無線周波数信号に変換する。図示されない他のコンポーネントは、必要な場合は図示されたブロックに含めてもよいが、増幅器、フィルタ、発振器、複数個のＡＤＣおよび／またはＤＡＣ（ここでは１つのみ示されている）に制限されるものではない。
【００２７】
図６は、本発明の実施例に従って、モバイル装置のブロック図を示す。モバイル装置１３１の図示するコンポーネントは、コンピューティング・プラットフォーム６５０、アンテナ６２１、変復調器６２０、ＡＤＣ６３０、および、ＤＡＣ６４０を含み、それらは図５の同様に名づけられたコンポーネントに機能的に類似し、図６の装置は、単一のアンテナ／変復調装置／ＡＤＣ／ＤＡＣの組合せで示され、コンピューティング・プラットフォーム６５０は、基地局ではなくモバイル装置用に既に記述された動作を行なうが、本発明の様々な実施例はこれらの点に制限されるものではない。
【００２８】
図７は本発明の特定の実施例で使用されるいくつかの通信フォーマットを示すが、他の実施例はこの点に制限されるものではない。様々な実施例では、図７に図示する要素のうちのいくつか、あるいは全てを含むことがあり、全く含まないこともあるが、要素の順序は図示されたものと異なっていてもよい。通信ブロックの開始および終了を確立するために必要とされるヘッダ、トレーラ、および他の要素は示されていない。
【００２９】
図７の実施例中で：
１）すべて：  通信シーケンスの各送信は、送信装置のアドレスおよび指定受信者のアドレスを含む。他のＡＰおよびＳＴＡがレンジ内にあることがあるので、これらのアドレスを含むことはネットワーク内の混乱を防ぐことができる。
【００３０】
２）ＡＰからのポーリング：  前述のアドレスに加えて、ポーリングは、ＳＴＡから要求されるレスポンスのタイプを示すレスポンス・タイプ・フラグを含むことがある（例えば、ＳＴＡは応答する前の予め定められたレスポンス期間まで待機するが、そのレスポンス期間はポーリング期間終了後予め定義された時間間隔を開始する）。そのポーリングは、さらにレスポンス期間長（例えば、レスポンス期間は示された時間の間続き、ＳＴＡがその時間内にそのレスポンスを完了しなければならない）を含む。最後に、ブロックは妥当性検査文字で終了し、そのブロックが正確に受け取られたことを保証する（例えば巡回冗長検査（ＣＲＣ）文字）。
【００３１】
３）ＳＴＡからのサブ・バースト：  レスポンス期間に、ＳＴＡは、一連の複数のサブ・バーストを含むデータ・バーストで応答する。前述のアドレスに加えて、各サブ・バーストは、データ・バースト（例えばＭＰＤＵ  ＩＤ番号）内のこの特定のサブ・バーストを一意に識別する識別子を含む。データ部の後、ブロックは、肯定応答が期待されるかどうか示す肯定応答の要求フラグを含み、その場合、どんなタイプの肯定応答かを示す。最後のサブ・バースト以外に対して、１つの「肯定応答不要」フラグが用いられ、これらの個々のサブ・バーストに対して肯定応答が要求されていないことを示す。最後のサブ・バーストについては、ブロック肯定応答の要求が示され、ブロック肯定応答が全体としてデータ・バーストのために期待されることを示す。その要求は非即時ブロック肯定応答を指定する（つまり、肯定応答タイムアウト期間は、要求を含むサブ・バースト直後に自動的には開始しない）。あるいは、非即時の要素はブロック肯定応答フォーマットに組み込まれる了解された要求であってもよく、その結果、ブロック肯定応答は要求が「非即時」を指定しないが、レスポンス期間が終わった後まで、期待されない。
【００３２】
４）ＡＰからの肯定応答：  前述のアドレスに加えて、ＡＰからのブロック肯定応答は、肯定応答ビット・マップを含み、そのビット・マップ中の個別のビットは各サブ・バーストに関連する。そのビット・マップ中の各ビットは、その関連するサブ・バーストがＡＰによって正確に受け取られる場合、アサート（例えばロジック「１」）され、あるいはその関連するサブ・バーストがＡＰによって正確に受け取られない場合、非アサート（例えばロジック「０」）される。不正な受信は、ａ）その関連するサブ・バーストが受け取られなかった、ｂ）その関連するサブ・バーストはＣＲＣチェックに失敗した、ｃ）その関連するサブ・バーストは正しくないフォーマット、または正しくないタイプだった、ｄ）その他が該当するが、しかしこれらに制限されることなない。ある実施例において、ビット・マップは、最大を提供するためにビットの予め定義した数を含み、許容された最大のサブ・バースト数を提供するが、他の実施例では他の配置を用いてもよい（例えば、ビット・マップはサブ・バーストに収容されたデータ・バーストと単に同数のビットを含み、サブ・バーストがどのように識別されるかに従って、ビット・マップのサイズが定まり、形成されるなど）。最後に、肯定応答ブロックが正確に受け取られたことをＳＴＡが確認できるように、肯定応答ブロックはＣＲＣ文字を含んでいてもよい。
【００３３】
上記記述は、説明用に意図されており、制限のためのものではない。変更が当業者によって行なわれてもよい。それらの変更は、本発明の様々な実施例に含まれるように意図され、本発明は添付の請求項の思想および範囲によってのみ制限される。
【図面の簡単な説明】
【００３４】
【図１】本発明の実施例に従って、通信網のダイヤグラムを示す。
【図２】本発明の実施例に従って、基地局および２つのモバイル装置に関する通信シーケンスのタイミング・ダイヤグラムを示す。
【図３】本発明の実施例に従って、基地局によって実現される方法のフローチャートを示す。
【図４】本発明の実施例に従って、モバイル装置によって実現される方法のフローチャートを示す。
【図５】本発明の実施例に従って、基地局のブロック図を示す。
【図６】本発明の実施例に従って、モバイル装置のブロック図を示す。
【図７】本発明の実施例に従って、通信シーケンス中で使用される通信フォーマットを示す。
【図１】
2007502079.tif 000003
【図２】
2007502079.tif 000004
【図３】
2007502079.tif 000005
【図４】
2007502079.tif 000006
【図５】
2007502079.tif 000007
【図６】
2007502079.tif 000008
【図７】
2007502079.tif 000009
【国際調査報告】
2007502079.tif 000010
2007502079.tif 000011